(57)【特許請求の範囲】
【請求項１】
パイプフレームの交差部に取り付けられるフレーム連結固定具であって、 前記フレーム連結固定具は、パイプフレームの縦軸を抱持する形状に形成される縦軸抱持部と、その両側にパイプフレームの横軸を抱持する形状に形成される横軸抱持部を直交させて重合する形状に一枚の金属板を折り曲げて形成し、  前記縦軸抱持部には、パイプフレームの縦軸の後方に回り込んで抱持する括れ部を形成すると共に、内面方向に突出する突起部を前方中央位置に設け、  前記横軸抱持部には、パイプフレームの横軸の後方に回り込んで抱持するオーバーハング部を形成すると共に、該オーバーハング部が形成される方向に突出する突起部を抱持部周縁端に突設して成り、 前記フレーム連結固定具が、前記パイプフレームの交差部に一方向から押し込んで嵌め込まれると共に、前記突起部がパイプフレームに穿設された位置決め貫通孔に嵌め込まれて連結固定されることを特徴とするフレーム連結固定具。
【請求項２】
パイプフレームの交差部に取り付けられるフレーム連結固定具であって、 前記フレーム連結固定具は、パイプフレームの横軸が抱持される外形寸法を大とする横軸抱持部と、その上下両側にパイプフレームの縦軸を抱持する外形寸法を小とする縦軸抱持部を直交させて貫通する形状に一枚の金属板を折り曲げて形成し、  前記横軸抱持部には、パイプフレームの横軸の後方に回り込んで抱持するオーバーハング部を形成し、  前記縦軸抱持部には、パイプフレームの縦軸の後方に回り込んで抱持するオーバーハング部を形成すると共に、該オーバーハング部が形成される方向に突出する突起部を抱持部周縁端に突設して成り、 前記フレーム連結固定具が、前記パイプフレームの交差部に一方向から押し込んで嵌め込まれると共に、前記突起部がパイプフレームに穿設された位置決め貫通孔に嵌め込まれて連結固定されることを特徴とするフレーム連結固定具。
【請求項３】
抱持部周縁端に突設される前記突起部の先端が、前記位置決め貫通孔に押し込まれるなだらかな亀頭状に膨出する係着突起部で形成されたことを特徴とする請求項１または請求項２記載のフレーム連結固定具。
【請求項４】
四角状に敷設される基台パイプユニットと、該基台パイプユニット上に等間隔に立設される複数のアーチフレームユニットと、パイプユニットの前後の間口部を補強する補強骨組みユニットと、で構成されるパイプハウスユニットにおいて、前記アーチフレームユニットと補強骨組みユニットの末端部を前記基台パイプユニットの縦軸通し穴に貫通させて請求項２記載のフレーム連結固定具で連結固定すると共に、前記アーチフレームユニットと横桟補強フレームの十字状の交差部を請求項１記載のフレーム連結固定具で連結固定したパイプハウスユニットを形成し、該パイプハウスユニットの上方から下方が開放されると共に前方の間口側に出入口部を設けた天屋根シートを覆い被せたことを特徴とする多目的パイプハウス。
【請求項５】
前記基台パイプユニットをアンカーフックで地面に固定すると共に、前記パイプハウスユニットの前方の間口側に開閉ドアユニットを設け、前記天屋根シートを透明または半透明のビニールとして形成すると共に、前方の間口側に出入口部を設けて前記パイプハウスユニットの上方から覆い被せることによって農業用および園芸用のビニールハウスとしたことを特徴とする請求項４記載の多目的パイプハウス。
【請求項６】
前記基台パイプユニットをアンカーフックで地面に固定すると共に、前記パイプハウスユニットの前方の間口側に開閉ドアユニットを設け、前記天屋根シートを耐久性の高い合成樹脂シートまたは防水処理を施した帆布で形成すると共に、前方の間口側に出入口部を設けて前記パイプハウスユニットの上方から覆い被せることによって、緊急災害避難用または物置用の野外テントハウスとしたことを特徴とする請求項４記載の多目的パイプハウス。
【請求項７】
前記基台パイプユニットの下方にゴム足またはキャスターを連設すると共に、前記パイプハウスユニットの前方の間口側に開閉ドアユニットを設け、前記天屋根シートを合成樹脂シートまたは虫除け網目ネットで形成すると共に、前方の間口側に出入口部を設けて前記パイプハウスユニットの上方から覆い被せることによって、緊急災害避難用の室内テントハウスとしたことを特徴とする請求項４記載の多目的パイプハウス。
【請求項８】
前記基台パイプユニットをアンカーフックで地面に固定すると共に、前方の間口側の敷設パイプフレームに寸法径の大きい埋設遊嵌パイプを遊嵌させ、自動車の入出庫時にその埋設遊嵌パイプによって前記パイプハウスユニットが自動車の荷重の影響を受けないように埋設し、前記天屋根シートを耐久性の高い合成樹脂シートまたは防水処理を施した帆布で形成すると共に、前方の間口側に入出庫開口部を設けて前記パイプハウスユニットの上方から覆い被せることによって、車用のガレージハウスとしたことを特徴とする請求項４記載の多目的パイプハウス。 
【発明の詳細な説明】
【技術分野】
【０００１】
本発明は、パイプフレームの位置決めと連結固定がワンタッチでできるフレーム連結固定具と、使用目的に合わせて多様に転用することができる多目的パイプハウスに関する。
【背景技術】
【０００２】
従来より、ビニールハウスを設置するに当たっては、支柱パイプを地中に打ち込んでその支柱パイプと骨組みパイプとを連結具で連結固定して組み立てていた。しかしながら、支柱パイプを地中に打ち込む作業は、支柱パイプ自体に地中に打ち込む機能が備わっていないことから、設置効率が悪い上、一人作業での設営を困難なものとしていた。さらに支柱パイプと補強パイプを連結する連結固定金具が複雑構造である上、位置決め機能が備わってないことから強風時や長い年月の間には支柱パイプと補強パイプの連結箇所がずれ込んでビニールハウスの強度性が損なわれる可能性があるものであった。
【０００３】
そのような問題を解決しようとこれまで連結固定具や巻上げ冶具などが開発されてきたが、それらの多くは装置自体が嵩張ったり、複雑な構造であったり、操作性が煩わしかったりするなどの問題点があるものであった。
【０００４】
従来より、上記の問題点を解決しようとする提案がなされている。例えば、回転止め板の長軸方向両側に、断面略Ｃ型弾性体のクリップ部を設け、断面略Ｃ型弾性金板に１個または複数個の設けた突起付金具をクリップ部の内側に装着したことを特徴とする「フィルム固定具の回転ずれを防止具」(特許文献１参照)が提案され、公知技術となっている。
【０００５】
しかしながら、係る「フィルム固定具の回転ずれを防止具」の提案は、農業用ハウスのフィルム巻き取り用パイプに使用されるフィルム固定具に１個または複数個の突起部を設けてフィルム固定具の回転ずれを防止する提案であるが、該提案は、農業用ハウスのフィルム巻き取り用パイプに使用されるフィルム固定具に突起部を設けた突起付金具をクリップ部の内側に装着したフィルムの巻き取りに関する提案であって、農業用ハウスの骨組みを連結固定する提案ではないため、パイプフレームの位置決めと連結固定がワンタッチでできない共に、農業用ハウスを使用目的に合わせて多様に転用することができないものであった。
【０００６】
また、ハウスパイプに固定される固定部材に対し、止め材を保持するスライド部材をスライド可能に保持させ、ハンドル部と連結材とを有する操作部材によって、てこの原理を利用してスライド部材を容易に押し上げることができると共に、プラスチックフィルムの張りムラが生じないことを特徴とする「ジョイント部材」(特許文献２参照)が提案され、公知技術となっている。
【０００７】
しかしながら、係る「ジョイント部材」の提案は、プラスチックフィルムを仮止めした後、ハウスパイプに沿って容易に押し上げることができ、しかも張りムラがほとんど生じることなくプラスチックフィルムを確実に張ることができる提案であるが、該提案は、ジョイント部材にハンドル部と連結材とを有する操作部材を設けてプラスチックフィルムを確実に張り上げる提案であって、上記の提案と同様に農業用ハウスの骨組みを連結固定する提案ではないため、パイプフレームの位置決めと連結固定がワンタッチでできない共に、農業用ハウスを使用目的に合わせて多様に転用することができないものであった。
【０００８】
また、樹脂ウッドを連結して基礎部材を形成し、この基礎部材に支柱パイプを立設すると共に、前記支柱パイプに他の直管状のユニットパイプを継手を介して連結して構成したことを特徴とする「樹脂ウッドを基礎材とするパイプハウス」(特許文献３参照)が提案され、公知技術となっている。
【０００９】
しかしながら、係る「樹脂ウッドを基礎材とするパイプハウス」の提案は、樹脂ウッドを基礎部材とするパイプハウスを直管状のパイプと連結させて組み立て作業を自由に行えるようにした提案であるが、該提案は、基礎材が樹脂ウッドであることや、アルミパイプと材料調達先が異なるため、仕入れ価格がコスト高になることや在庫管理が必要とされるものであり、また、支柱パイプが基礎部材に立設される構造が単に嵌め込み式であることによって強度的に弱く、加えて基礎部材の耐用年数も鋼材と比較して短いといった問題点があるものであった。
【００１０】
また、交差する二本の管体をばね性のある鋼線で巻き込みながら結合させている管体の結合構造において、少なくとも上側に位置する一方の管体に一つ又は複数の窪み部を形成し、上記鋼線を上記窪み部に嵌合して通しながら二つの管体を結合することを特徴とする「管体の結合構造」(特許文献４参照)が提案され、公知技術となっている。
【００１１】
しかしながら、係る「管体の結合構造」の提案は、交差する二本の管体を固定する鋼線ならびにパイプジョイントが交差部分の梁などの管体外周から飛び出さず、しかもビニールシートが傷つくことなく取り付け作業が容易に行える提案であるが、該提案は、鋼管の外周部に窪み部を形成し、固定用の鋼線をその窪み部に嵌合させて二つの管体を結合する構造を採用していることから、鋼管の連結固定する連結部に窪み部をプレス加工によって二次加工を行わなければならず、鋼管の製造コスト高が懸念されるものであった。
【００１２】
また、並設された複数の主アーチとそれらを平行状態でつなぐ天母屋、母屋及び肩用直管とで構成された骨組みを有し、前記主アーチの外側に透明又は半透明のフィルムが展張されたグリーンハウスであって、前記主アーチがそれぞれ天母屋接続部でアーチジョイントにより接合されたアーチ用パイプからなり、前記アーチジョイントはその中央部で前記天母屋挿通可能内径を有するサヤ管をグリーンハウスの桁方向に貫通した状態で保持しており、前記サヤ管内を挿通させた前記天母屋が当該サヤ管に所定の位置で固定されてなることを特徴とする「施工性に優れたグリーンハウス」(特許文献５参照)が提案され、公知技術となっている。
【００１３】
しかしながら、係る「施工性に優れたグリーンハウス」の提案は、全体的に簡素で軽量な構造とすると共に、経験の浅い作業者でも容易にかつ精度良く施工することが可能とする提案であるが、該提案は、連結固定具を構造パイプに取り付ける際には当て板を使用しなければならず、取り付け作業が複雑であると共に、連結固定具自体に位置決め機能が備わっていないため、連結固定具の締め付け力のみによって固定機能を果たすに留まることから、その締め付け力が緩んだ時にはハウス自体の自立性が損なわれるものであった。
【００１４】
本出願人は、上記のような連結固定具がパイプフレームの位置決めと連結固定がワンタッチでできない問題点と、ビニールハウスがこれまでの使用目的に合わせて多様に転用することができない現状に着目し、それらの問題点を安価で且つ簡易的な手段で解決することができないものかとの着想の下、パイプフレームの位置決めと連結固定がワンタッチでできるフレーム連結固定具と、それを使用して目的に合わせて多様に転用することができる多目的パイプハウスを開発し、本発明における「フレーム連結固定具とそれを使用した多目的パイプハウス」の提案に至るものである。
【先行技術文献】
【特許文献】
【００１５】
【特許文献１】特開２００２−３５４９４６号公報
【特許文献２】特開２０００−２７９０３４号公報
【特許文献３】特開平１０−１７８９２５号公報
【特許文献４】特開２００４−３３２９１８号公報
【特許文献５】特開２００８−８０７２号公報
【発明の概要】
【発明が解決しようとする課題】
【００１６】
本発明は上記問題点を鑑み、パイプフレームの位置決めと連結固定がワンタッチでできるフレーム連結固定具と、使用目的に合わせて多様に転用することができる多目的パイプハウスの提供を図ることを課題とする。
【課題を解決するための手段】
【００１７】  本発明におけるフレーム連結固定具とそれを使用した多目的パイプハウスは、上記課題を解決するためになされるもので、本発明におけるフレーム連結固定具は、パイプフレームの交差部に取り付けられるフレーム連結固定具であって、前記フレーム連結固定具は、パイプフレームの縦軸を抱持する形状に形成される縦軸抱持部と、その両側にパイプフレームの横軸を抱持する形状に形成される横軸抱持部を直交させて重合する形状に一枚の金属板を折り曲げて形成し、前記縦軸抱持部には、パイプフレームの縦軸の後方に回り込んで抱持する括れ部を形成すると共に、内面方向に突出する突起部を前方中央位置に設け、前記横軸抱持部には、パイプフレームの横軸の後方に回り込んで抱持するオーバーハング部を形成すると共に、該オーバーハング部が形成される方向に突出する突起部を抱持部周縁端に突設して成り、前記フレーム連結固定具が、前記パイプフレームの交差部に一方向から押し込んで嵌め込まれると共に、前記突起部がパイプフレームに穿設された位置決め貫通孔に嵌め込まれて連結固定される手段を採る。 また本発明におけるフレーム連結固定具は、パイプフレームの交差部に取り付けられるフレーム連結固定具であって、前記フレーム連結固定具は、パイプフレームの横軸が抱持される外形寸法を大とする横軸抱持部と、その上下両側にパイプフレームの縦軸を抱持する外形寸法を小とする縦軸抱持部を直交させて貫通する形状に一枚の金属板を折り曲げて形成し、前記横軸抱持部には、パイプフレームの横軸の後方に回り込んで抱持するオーバーハング部を形成し、前記縦軸抱持部には、パイプフレームの縦軸の後方に回り込んで抱持するオーバーハング部を形成すると共に、該オーバーハング部が形成される方向に突出する突起部を抱持部周縁端に突設して成り、前記フレーム連結固定具が、前記パイプフレームの交差部に一方向から押し込んで嵌め込まれると共に、前記突起部がパイプフレームに穿設された位置決め貫通孔に嵌め込まれて連結固定される手段を採る。 【００１８】
また本発明におけるフレーム連結固定具は、抱持部周縁端に突設される前記突起部の先端が、前記位置決め貫通孔に押し込まれるなだらかな亀頭状に膨出する係着突起部で形成された手段を採る。
【００１９】  また本発明における多目的パイプハウスは、四角状に敷設される基台パイプユニットと、該基台パイプユニット上に等間隔に立設される複数のアーチフレームユニットと、パイプユニットの前後の間口部を補強する補強骨組みユニットと、で構成されるパイプハウスユニットにおいて、前記アーチフレームユニットと補強骨組みユニットの末端部を前記基台パイプユニットの縦軸通し穴に貫通させて請求項２記載のフレーム連結固定具（以下貫通フレーム連結固定具という）で連結固定すると共に、前記アーチフレームユニットと横桟補強フレームの十字状の交差部を請求項１記載のフレーム連結固定具（以下重合フレーム連結固定具という）で連結固定したパイプハウスユニットを形成し、該パイプハウスユニットの上方から下方が開放されると共に前方の間口側に出入口部を設けた天屋根シートを覆い被せた手段を採る。 【００２０】
また本発明における多目的パイプハウスは、前記基台パイプユニットをアンカーフックで地面に固定すると共に、前記パイプハウスユニットの前方の間口側に開閉ドアユニットを設け、天屋根シートを透明または半透明のビニールとして形成すると共に、前方の間口側に出入口部を設けて前記パイプハウスユニットの上方から覆い被せることによって、農業用および園芸用のビニールハウスとした手段を採る。
【００２１】
また本発明における多目的パイプハウスは、前記基台パイプユニットをアンカーフックで地面に固定すると共に、前記パイプハウスユニットの前方の間口側に開閉ドアユニットを設け、前記天屋根シートを耐久性の高い合成樹脂シートまたは防水処理を施した帆布で形成すると共に、前方の間口側に出入口部を設けて前記パイプハウスユニットの上方から覆い被せることによって、緊急災害避難用または物置用の野外テントハウスとした手段を採る。
【００２２】
また本発明における多目的パイプハウスは、前記基台パイプユニットの下方にゴム足またはキャスターを連設すると共に、前記パイプハウスユニットの前方の間口側に開閉ドアユニットを設け、前記天屋根シートを合成樹脂シートまたは虫除け網目ネットで形成すると共に、前方の間口側に出入口部を設けて前記パイプハウスユニットの上方から覆い被せることによって、緊急災害避難用の室内テントハウスとした手段を採る。
【００２３】
また本発明における多目的パイプハウスは、前記基台パイプユニットをアンカーフックで地面に固定すると共に、前方の間口側の敷設パイプフレームに寸法径の大きい埋設遊嵌パイプを遊嵌させ、自動車の入出庫時にその埋設遊嵌パイプによって前記パイプハウスユニットが自動車の荷重の影響を受けないように埋設し、前記天屋根シートを耐久性の高い合成樹脂シートまたは防水処理を施した帆布で形成すると共に、前方の間口側に入出庫開口部を設けて前記パイプハウスユニットの上方から覆い被せることによって、車用のガレージハウスとした手段を採る。
【発明の効果】
【００２４】
本発明のフレーム連結固定具によれば、パイプフレームに設けられた位置決め貫通孔とワンタッチで連結固定できる形状に成形されたフレーム連結固定具に設けられた突起部によってパイプフレームの位置決めと連結固定作業が同時にできるといった優れた効果を奏する。
【００２５】
また本発明のフレーム連結固定具によれば、フレーム連結固定具自体が簡易構造であるため、金属板加工若しくは合成樹脂成形加工によって安価に大量生産することができると共に、使用に当たって操作がワンタッチでできる上、パイプフレームの連結固定部がずれないといった多くの特徴を有していることから、従来の農業用および園芸用のビニールハウスとしての用途に留まらず、構造用の骨格材の係止連結具として広く利用できるといった優れた効果を奏する。
【００２６】
また本発明の多目的パイプハウスによれば、パイプハウスユニットが自立する構造であることによって設営ならびに組立分解作業が一人で容易にできると共に、大量生産によって建坪毎のセット販売が可能になり、さらにパイプハウスを使用目的に合わせて多様に転用することができるといった優れた効果を奏する。
【００２７】
また本発明の多目的パイプハウスによれば、設営に当たってパイプハウスユニットをアンカーフックで地面に固定した上で、単に天屋根シートを覆い被せるだけで簡単に農業用および園芸用のビニールハウスとして利用することができるといった優れた効果を奏する。
【００２８】
また本発明の多目的パイプハウスによれば、連結固定具によって、ワンタッチで取り付け取り外し作業が容易にできることから、テントハウスの設営・撤去が瞬時に且つ一人作業でできると共に、公共施設の緊急災害避難用の野外宿泊施設として折り畳んで大量に備蓄することができ、さらに学園祭の野外フリーマーケット、学校の野外授業やキャンプ、公共イベント時の移動式の待機所など緊急災害避難用以外においても多様に利用することができるといった優れた効果を奏する。
【００２９】
また本発明の多目的パイプハウスによれば、連結固定具によって、ワンタッチで取り付け取り外し作業が容易にできることから、テントハウスの設営・撤去が瞬時に且つ一人作業でできると共に、室内専用のテントハウスとすることで構造的に簡易且つ軽量な組立構造とすることができる。また折り畳んで室内の倉庫にコンパクトに格納できる上、ゴム足またはキャスターを取り付けることによって室内の移動を容易なものとし、さらに災害時の避難者のプライバシーの保護や防寒対策を図ることができると共に、組立式のパイプベットを持ち込むことによって長期滞在避難を可能するといった優れた効果を奏する。
【００３０】
また本発明の多目的パイプハウスによれば、設営に当たってパイプハウスユニットをアンカーフックで地面に固定すると共に、前方の間口側の敷設パイプフレームに寸法径の大きい埋設遊嵌パイプを遊嵌させて埋設することによって、パイプハウスユニットが自動車の荷重の影響を受けない構造とすることで車用のガレージハウスとして利用することができるといった優れた効果を奏する。
【図面の簡単な説明】
【００３１】
【図１】本発明における重合フレーム連結固定具の実施形態を示す説明図である。（実施例１）
【図２】本発明における貫通フレーム連結固定具の実施形態を示す説明図である。（実施例２）
【図３】本発明における請求項４記載の多目的パイプハウスの実施形態を示す説明図である。（実施例３）
【図４】本発明における請求項５記載の多目的パイプハウスの実施形態を示す説明図である。（実施例４）
【図５】本発明における請求項６記載の多目的パイプハウスの実施形態を示す説明図である。（実施例５）
【図６】本発明における請求項７記載の多目的パイプハウスの実施形態を示す説明図である。（実施例６）
【図７】本発明における請求項８記載の多目的パイプハウスの実施形態を示す説明図である。（実施例７）
【発明を実施するための形態】
【００３２】  本発明におけるフレーム連結固定具１０は、パイプフレーム２２の交差部２４に取り付けられるフレーム連結固定具１０であって、重合フレーム連結固定具１１は、パイプフレーム２２の縦軸を抱持する形状に形成される縦軸抱持部１３と、その両側にパイプフレーム２２の横軸を抱持する形状に形成される横軸抱持部１４を直交させて重合する形状に一枚の金属板を折り曲げて形成し、縦軸抱持部１３には、パイプフレーム２２の縦軸の後方に回り込んで抱持する括れ部１７を形成すると共に、内面方向に突出する突起部１５を前方中央位置に設け、横軸抱持部１４には、パイプフレーム２２の横軸の後方に回り込んで抱持するオーバーハング部１８を形成すると共に、該オーバーハング部１８が形成される方向に突出する突起部１５を抱持部周縁端１４aに突設して成り、貫通フレーム連結固定具１２は、パイプフレーム２２の横軸が抱持される外形寸法を大とする横軸抱持部１４と、その上下両側にパイプフレーム２２の縦軸を抱持する外形寸法を小とする縦軸抱持部１３を直交させて貫通する形状に一枚の金属板を折り曲げて形成し、横軸抱持部１４には、パイプフレーム２２の横軸の後方に回り込んで抱持するオーバーハング部１８を形成し、縦軸抱持部１３には、パイプフレーム２２の縦軸の後方に回り込んで抱持するオーバーハング部１８を形成すると共に、該オーバーハング部１８が形成される方向に突出する突起部１５を抱持部周縁端１３aに突設して成り、フレーム連結固定具１０が、パイプフレーム２２の交差部２４に一方向から押し込んで嵌め込まれると共に、突起部１５がパイプフレーム２２に穿設された位置決め貫通孔２３に嵌め込まれて連結固定される手段を採ったことを最大の特徴とする。以下、本発明におけるフレーム連結固定具１０とそれを使用した多目的パイプハウス２０の実施形態を図面を基に説明する。 
【００３３】
なお、本発明におけるフレーム連結固定具１０とそれを使用した多目的パイプハウス２０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００３４】  図１は、本発明における重合フレーム連結固定具の実施形態を示す説明図である。  図１（a）は重合フレーム連結固定具１１の全体斜視図を示し、図１（b）はその重合フレーム連結固定具１１の使用状態図を示す。  本発明におけるフレーム連結固定具１０は、パイプフレーム２２の交差部２４に取り付けられるフレームの連結固定具であって、パイプフレーム２２の交差部に一方向から押し込んで嵌め込まれると共に、突起部１５がパイプフレーム２２に穿設された位置決め貫通孔２３に嵌め込まれて連結固定される形状に形成される。また材質的には、ブリキ板、アルミ板、バネ板などの金属板が使用され、さらにパイプフレーム２２に接触する面が同一形状であれば、一定の厚みのある合成樹脂成形品で形成することもできる。 【００３５】
重合フレーム連結固定具１１は、横軸抱持部１４を直交させて重合する形状に一枚の金属板を折り曲げて形成し、パイプフレーム２２の縦軸を抱持する縦軸抱持部１３と縦軸抱持部１３の両側にパイプフレーム２２の横軸を抱持する横軸抱持部１４とで形成される。
【００３６】
縦軸抱持部１３は、パイプフレーム２２の縦軸を抱持する形状に形成されるパイプフレーム２２の縦軸の後方に回り込んで抱持する括れ部１７を形成すると共に、内面方向に突出する突起部１５を前方中央位置に突設して形成される。
【００３７】
横軸抱持部１４は、縦軸抱持部１３の両側にパイプフレーム２２の横軸の後方に回り込んで抱持する形状に形成されるオーバーハング部１８を形成すると共に、オーバーハング部１８が形成される方向に突出する突起部１５を抱持部周縁端１４aに突設して形成される。
【００３８】
突起部１５は、オーバーハング部１８が形成される方向に突出する形状に形成されて抱持部周縁端１３a、１４aに突設されるもので、パイプフレーム２２の横軸と縦軸に穿設された位置決め貫通孔２３に嵌め込まれて連結固定される形状に形成される。
また、多目的パイプハウス２０を分解する際は、パイプフレーム２２の横軸と縦軸の間にドライバーをねじ込むことによって、フレーム連結固定具１０を簡単に取り外すことができる。
【００３９】
括れ部１７は、パイプフレーム２２の縦軸の後方に回り込んで重合フレーム連結固定具１１を抱持する役割を果たすもので、括れ部１７があることによって重合フレーム連結固定具１１がパイプフレーム２２から単体で外れて脱落することを防ぐ役割を果たす。
【００４０】
オーバーハング部１８は、パイプフレーム２２の後方に回り込んで抱持する役割を果たすもので、オーバーハング部１８があることによって、重合フレーム連結固定具１１がパイプフレーム２２から外れて脱落するのを上記の括れ部１７と合わせて防ぐことができると共に、多目的パイプハウス２０全体の組み立て強度を維持することができる。
【００４１】
パイプフレーム２２は、外形表面に位置決め貫通孔２３が所定の間隔を有して等間隔に複数穿設され、フレーム連結固定具１０の突起部１５に嵌め込まれる形状を有して形成されるもので、敷設パイプフレーム３１、直管パイプフレーム４２、屋根パイプフレーム４３、横桟補強フレーム５０がこれに相当する。尚、本明細書ならびに図面においてはパイプフレーム２２を円形状を形成した場合において説明しているが、四角形状のパイプフレームであっても良い。
【００４２】  図１（ｃ）は重合フレーム連結固定具１１の全体斜視図を示し、図１（ｄ）はその重合フレーム連結固定具１１の使用状態図を示す。  係着突起部１６は、抱持部周縁端１３a、１４aに突設され、先端部の形状が位置決め貫通孔２３に押し込まれるなだらかな亀頭状に膨出する形状に形成されて、重合フレーム連結固定具１１がパイプフレーム２２から外れて脱落するのを防ぐ役割を果たす。 【００４３】
以上のように構成される本発明における重合フレーム連結固定具１１は、パイプフレーム２２の交差部２４を一方向から押し込んで連結固定することができる形状に形成されていることによって、パイプフレーム２２の交差部２４にワンタッチで取り付けることができる。また、パイプハウスユニット２１自体が簡易構造であるため、プレス板加工によって安価に大量生産することができると共に、使用に当たって着脱作業が容易である上、パイプフレーム２２の連結固定部がずれないといった利点を有して形成される。また材質的には、ブリキ板、アルミ板、バネ板などの金属板が使用され、さらにパイプフレーム２２に接触する面が同一形状であれば、一定の厚みのある合成樹脂成形品で形成することもできる。
【実施例２】
【００４４】  図２は、本発明における貫通フレーム連結固定具の実施形態を示す説明図である。  図２（a）は貫通フレーム連結固定具１２の全体斜視図を示し、図２（b）はその貫通フレーム連結固定具１２の使用状態図を示す。  貫通フレーム連結固定具１２は、パイプフレーム２２の横軸が抱持される外形寸法を大とする横軸抱持部１４と、その上下両側にパイプフレーム２２の縦軸を抱持する外形寸法を小とする縦軸抱持部１３を直交させて貫通する形状に一枚の金属板を折り曲げて形成し、横軸抱持部１４には、パイプフレーム２２の横軸の後方に回り込んで抱持するオーバーハング部１８を形成し、縦軸抱持部１３には、パイプフレーム２２の縦軸の後方に回り込んで抱持するオーバーハング部１８を形成すると共に、該オーバーハング部１８が形成される方向に突出する突起部１５を抱持部周縁端１３aに突設して形成される。また材質的には、ブリキ板、アルミ板、バネ板などの金属板が使用され、さらにパイプフレーム２２に接触する面が同一形状であれば、一定の厚みのある合成樹脂成形品で形成することもできる。【００４５】
縦軸抱持部１３は、横軸抱持部１４の上下両側にパイプフレーム２２の縦軸を抱持する外形寸法を小とするパイプフレーム２２の縦軸の後方に回り込んで抱持するオーバーハング部１８を形成すると共に、該オーバーハング部１８が形成される方向に突出する突起部１５を抱持部周縁端１３aに突設して形成される。
【００４６】
横軸抱持部１４は、敷設パイプフレーム３１などの外形寸法を大とするパイプフレーム２２の横軸の後方に回り込んで抱持するオーバーハング部１８を形成して成る。
また、折曲されたコーナー部に設けられるパイプフレーム２２に取り付ける形状とすることもできる。
【００４７】  図２（ｃ）は貫通フレーム連結固定具１２の全体斜視図を示し、図２（ｄ）はその貫通フレーム連結固定具１２の使用状態図を示す。  係着突起部１６は、突起部１５の先端が位置決め貫通孔２３に押し込まれるなだらかな亀頭状に膨出する形状に形成され、取り付ける際はパイプフレーム２２の横軸と縦軸に穿設された位置決め貫通孔２３に簡単に押し込んで連結固定することができる。また取り外す際は、パイプフレーム２２の位置決め貫通孔２３の反対側からロッド状のドライバーを差し込んでハンマーで軽く叩くことによって、貫通フレーム連結固定具１２をパイプフレーム２２から簡単に取り外すことができる。また、折曲されたコーナー部に設けられるパイプフレーム２２に取り付ける形状とすることもできる。  なお、縦軸抱持部１３の中央位置に設けられる突起部１５は、パイプフレーム２２の上下両側に突起部１５設けられることによって移動が制限されるため不要となる。 【００４８】
以上のように構成される本発明における貫通フレーム連結固定具１２は、パイプフレーム２２の交差部２４を一方向から押し込んで簡単に連結固定することができる形状に形成されていることによって、緊急非常事態時であっても多目的パイプハウス２０を瞬時に組み立て分解することができる。
【実施例３】
【００４９】  図３は、本発明における請求項４記載の多目的パイプハウスの実施形態を示す説明図である。  本発明における多目的パイプハウス２０は、アーチフレームユニット４０の末端部４１を基台パイプユニット３０の敷設パイプフレーム３１の縦軸通し穴３２に貫通させて貫通フレーム連結固定具１２で連結固定すると共に、アーチフレームユニット４０と横桟補強フレーム５０の十字状の交差部２４を重合フレーム連結固定具１１で連結固定したパイプハウスユニット２１を形成し、該パイプハウスユニット２１の上方から下方が開放されると共に前方の間口側に出入口部５２を設けた天屋根シート５１を覆い被せて組み立てられる。【００５０】
パイプハウスユニット２１は、四角状に敷設される基台パイプユニット３０と、該基台パイプユニット３０上に等間隔に立設される複数のアーチフレームユニット４０と、アーチフレームユニット４０の間口部を補強する補強骨組みユニット５３と、横桟補強フレーム５０を使用して組み立てられる。
【００５１】
基台パイプユニット３０は、縦軸通し穴３２が等間隔に複数穿設される敷設パイプフレーム３１と連結継手３３を適宜に繋ぎ合わせて四角状に組み立て、その縦軸通し穴３２にアーチフレームユニット４０の末端部４１を貫通させた後、貫通フレーム連結固定具１２で連結固定して組み立てられる。
【００５２】
アーチフレームユニット４０は、直管パイプフレーム４２と屋根パイプフレーム４３と連結継手３３を繋ぎ合わせて門型状に組み立てられ、その屋根の形状は山形状やＲ状など任意の形状に折り曲げ加工されて形成される。
【００５３】
横桟補強フレーム５０は、外形表面に位置決め貫通孔２３が所定の間隔を有して等間隔に複数穿設され、フレーム連結固定具１０の突起部１５に嵌め込まれる形状を有して形成されるもので、複数のアーチフレームユニット４０や補強骨組みユニット５３の交差部２４にフレーム連結固定具１０の突起部１５を嵌め込んで連結固定される形状に形成される。
【００５４】
天屋根シート５１は、透明または半透明のビニールや、耐久性の高い合成樹脂シートや、防水加工を施した帆布等で形成され、パイプハウスユニット２１の形状に合わせて立体成形されるか、または一枚物の長尺シート状なものを適宜に切断して重ね合わせて使用されるもので、下方が全面開放され、前方の間口側に出入口部５２を設けて形成し、パイプハウスユニット２１の上方から覆い被せることができる形状に形成される。また四方の何れかを止め具やファスナーによって開放可能に形成することによって組み立て時や分解時において作業能率を上げる構造とすることができる。
【００５５】
出入口部５２は、シート状のものを２枚重ねして開閉式のカーテンドアとしたり、ファスナー部を設けて簡易的なシートドアとして形成される。
【００５６】
開閉ドアユニット６０は、ビニールシートが展張され、施錠付取っ手と蝶番を設けた開閉ドア６１で構成され、補強骨組みユニット５３に市販の連結固定具を介して取り付けられる。
【００５７】
以上のように構成される本発明における多目的パイプハウス２０は、パイプハウスユニット２１に天屋根シート５１を単に覆い被せるだけで大量生産による建坪毎のセット販売を可能とする。
【００５８】
次に、本発明における多目的パイプハウス２０の組み立て手順を説明する。
（1）基台パイプユニット３０を組み立てる。
・縦軸通し穴３２が等間隔に複数穿設される敷設パイプフレーム３１と連結継手３３を適宜に繋ぎ合わせて所定の大きさの四角状に組み立てる。
（2）アーチフレームユニット４０を組み立てる。
・屋根パイプフレーム４３と直管パイプフレーム４２と連結継手３３を繋ぎ合わせて門型状に組み立てる。
（3）組みあがったアーチフレームユニット４０を順次、基台パイプユニット３０の縦軸通し穴３２に差し込む。
（4）アーチフレームユニット４０と基台パイプユニット３０を貫通フレーム連結固定具１２で固定する。
・貫通フレーム連結固定具１２の突起部１５がパイプフレーム２２の位置決め貫通孔２３に確実に嵌め込まれているか確認する。
（5）アーチフレームユニット４０と横桟補強フレーム５０を重合フレーム連結固定具１１で固定する。
・重合フレーム連結固定具１１の突起部１５がアーチフレームユニット４０と屋根パイプフレーム４３と横桟補強フレーム５０の位置決め貫通孔２３に確実に嵌め込まれているか確認する。
（6）補強骨組みユニット５３を適宜組み合わせてパイプハウスユニット２１の前後の間口側をフレーム連結固定具１０で固定する。
・市販の連結固定具で縦横桟補強フレーム５３を組み合わせて連結固定する。
（7）開閉ドアユニット６０を間口側の前方に取り付ける。
・パイプハウスユニット２１の前方に開閉ドア６１を含む開閉ドアユニット６０を組み立てて間口側に取り付ける。
（8）パイプハウスユニット２１の上方から出入口部５２を設けた天屋根シート５１を覆い被せる。
・覆い被せた後、天屋根シート５１の下縁に取り付けられている緊締紐を基台パイプユニット３０の敷設パイプフレーム３１に結びつけて固定する。
・全体の連結固定具の取り付け状態を確認する。
【００５９】
以上のように構成される本発明における多目的パイプハウス２０は、一人で組み立て作業が容易にできると共に、ハウスパイプユニット２１が組み立てられて自立する構造であることによって、移動が容易にでき、さらに、使用目的に合わせて多様に転用することができる多目的パイプハウス２０の提供を図ることができる。
【実施例４】
【００６０】  図４は、本発明における請求項５記載の多目的パイプハウスの実施形態を示す説明図である。  本発明における多目的パイプハウス２０は、基台パイプユニット３０をアンカーフック５４で地面に固定すると共に、パイプハウスユニット２１の前方の間口側に開閉ドアユニット６０を設け、天屋根シート５１を透明または半透明のビニールとして形成すると共に、前方の間口側に出入口部５２を設けてパイプハウスユニット２１の上方から覆い被せることによって、農業用および園芸用のビニールハウスＨ1として形成される。 【００６１】
以上のように構成される本発明における多目的パイプハウス２０は、従来の農業用および園芸用のビニールハウスと比較して、パイプハウスユニット２１が自立する構造であることによって、組み立て作業が一人で容易に行うことができると共に、地面にアーチフレームユニット４０の末端部４１を打ち込む必要がないことから、農業用および園芸用のビニールハウスＨ1とすることができる。
【実施例５】
【００６２】  図５は、本発明における請求項６記載の多目的パイプハウスの実施形態を示す説明図である。本発明における多目的パイプハウス２０は、基台パイプユニット３０をアンカーフック５４で地面に固定すると共に、パイプハウスユニット２１の前方の間口側に開閉ドアユニット６０を設け、天屋根シート５１を耐久性の高い合成樹脂シートまたは防水処理を施した帆布で形成すると共に、前方の間口側に出入口部５２を設けてパイプハウスユニット２１の上方から覆い被せることによって、緊急災害避難用または物置用の野外テントハウスＨ2として形成される。 【００６３】
以上のように構成される本発明における多目的パイプハウス２０は、連結固定具によって、ワンタッチで取り付け取り外し作業が容易にできることから、テントハウスの設営・撤去が瞬時に且つ一人作業でできると共に、公共施設の緊急災害避難用の野外宿泊施設として折り畳んで大量に備蓄することができ、さらに学園祭の野外フリーマーケット、学校の野外授業やキャンプ、公共イベント時の移動式の待機所など緊急災害避難用以外においても多様に利用することができる野外テントハウスＨ2とすることができる。
【実施例６】
【００６４】  図６は、本発明における請求項７記載の多目的パイプハウスの実施形態を示す説明図である。本発明における多目的パイプハウス２０は、基台パイプユニット３０の下方にゴム足またはキャスター５７を連設すると共に、パイプハウスユニット２１の前方の間口側に開閉ドアユニット６０を設け、天屋根シート５１を合成樹脂シートまたは虫除け網目ネットで形成すると共に、前方の間口側に出入口部５２を設けてパイプハウスユニット２１の上方から覆い被せることによって、緊急災害避難用の室内テントハウスＨ3として形成される。 【００６５】
以上のように構成される本発明における多目的パイプハウス２０は、連結固定具によって、ワンタッチで取り付け取り外し作業が容易にできることから、テントハウスの設営・撤去が瞬時に且つ一人作業でできると共に、室内専用のテントハウスとすることで構造的に簡易且つ軽量な組立構造とすることができる。また折り畳んで室内の倉庫にコンパクトに格納できる上、ゴム足またはキャスターを取り付けることによって室内の移動を容易なものとし、さらに災害時の避難者のプライバシーの保護や防寒対策を図ることができると共に、組立式パイプベットＢを持ち込むことによって長期滞在避難を可能する緊急災害避難用の室内テントハウスＨ3とすることができる。
【実施例７】
【００６６】  図７は、本発明における請求項８記載の多目的パイプハウスの実施形態を示す説明図である。本発明における多目的パイプハウス２０は、基台パイプユニット３０をアンカーフック５４で地面に固定すると共に、前方の間口側の敷設パイプフレーム３１に寸法径の大きい埋設遊嵌パイプ５５を遊嵌させ、自動車Ｃの入出庫時にその埋設遊嵌パイプ５５によって、パイプハウスユニット２１が自動車Ｃの荷重の影響を受けないように埋設し、天屋根シート５１を耐久性の高い合成樹脂シートまたは防水処理を施した帆布で形成すると共に、前方の間口側に入出庫開口部５６を設けてパイプハウスユニット２１の上方から覆い被せることによって、車用のガレージハウスＨ4として形成される。 【００６７】
以上のように構成される本発明における多目的パイプハウス２０は、パイプハウスユニット２１が軽量且つ簡易構造であることによって、設営に当たって基台パイプユニット３０をアンカーフック５４で地面に固定すると共に、前方の間口側の敷設パイプフレーム３１に寸法径の大きい埋設遊嵌パイプ５５を遊嵌させることによって設置効率が高い安価な車用のガレージハウスＨ4とすることができる。
【産業上の利用可能性】
【００６８】
本発明におけるフレーム連結固定具とそれを使用した多目的パイプハウスは、従来の農業用および園芸用のビニールハウスとしての用途に留まらず、本発明のフレーム連結固定具は、構造用の骨格材の係止連結具として従来に増して広く利用できるものであり、さらにそれを使用した多目的パイプハウスは、緊急災害避難用または物置用の室内外テントハウスとしてや車のガレージハウスとして広く利用することができることから、本発明における「フレーム連結固定具とそれを使用した多目的パイプハウス」の産業上の利用可能性は極めて大であるものと解する。
【符号の説明】
【００６９】１０  フレーム連結固定具１１  重合フレーム連結固定具（請求項１記載のフレーム連結固定具）１２  貫通フレーム連結固定具（請求項２記載のフレーム連結固定具）１３  縦軸抱持部１３a 抱持部周縁端１４  横軸抱持部１４a 抱持部周縁端１５  突起部１６  係着突起部１７  括れ部１８  オーバーハング部２０  多目的パイプハウス２１  パイプハウスユニット２２  パイプフレーム２３  位置決め貫通孔２４  交差部３０  基台パイプユニット３１  敷設パイプフレーム３２  縦軸通し穴３３  連結継手４０  アーチフレームユニット４１  末端部４２  直管パイプフレーム４３  屋根パイプフレーム５０  横桟補強フレーム５１  天屋根シート５２  出入口部５３  補強骨組みユニット５４  アンカーフック５５  埋設遊嵌パイプ５６  入出庫開口部５７  ゴム足またはキャスター５８  敷設シート６０  開閉ドアユニット６１  開閉ドアＢ    組立式のパイプベットＣ    自動車Ｈ1   ビニールハウスＨ2   野外テントハウスＨ3   室内テントハウスＨ4   ガレージハウス 
【要約】      （修正有）【課題】パイプフレームの位置決めと連結固定がワンタッチでできるフレーム連結固定具と、使用目的に合わせて多様に転用することができる多目的パイプハウスを提供する。【解決手段】フレーム連結固定具は、パイプフレーム２２の交差部に取り付けられるフレームの連結固定具であって、重合フレーム連結固定具１１と、貫通フレーム連結固定具と、で構成され、パイプフレーム２２の交差部に一方向から押し込んで嵌め込まれると共に、突起部１５がパイプフレーム２２に穿設された位置決め貫通孔２３に嵌め込んで連結固定することによってパイプハウスユニットを形成し、そのパイプハウスユニットの上方から天屋根シートを覆い被せて多目的パイプハウスとした。【選択図】図１【図１】
0005798267.tif 000002
【図２】
0005798267.tif 000003
【図３】
0005798267.tif 000004
【図４】
0005798267.tif 000005
【図５】
0005798267.tif 000006
【図６】
0005798267.tif 000007
【図７】
0005798267.tif 000008